(57)【要約】【課題】      解決しようとする問題点は、家代々の墓において、夫婦の骨つぼが離ればなれにならないようにすることが課題である。【解決手段】  ２個の骨つぼ、即ち夫婦の骨つぼを適宜の係止構造を用いて一体化すること、これらが課題を解決するための手段である。【選択図】図１
0003141068.tif 000002
【実用新案登録請求の範囲】
【請求項１】
２個の骨つぼを適宜の係止構造を用いて着脱自在に一体化したことを特徴とする夫婦骨つぼ。
【請求項２】
係止構造が、一方の骨つぼ側面に略凹部からなる係止雌部を設け、田甫の骨つぼ側面には略凸部からなる係止雄部を設け、当該係止雌部と係止雄部を係合せしめて２個の骨つぼを一体化すべく構成してなる請求項１の夫婦骨つぼ。
【請求項３】
係止構造が、双方の骨つぼ側面にそれぞれ対応して嵌合する係止部を設け、当該係止部にピンを挿入して係合すべく構成してなる請求項１の夫婦骨つぼ。
【請求項４】
係止構造が、２個の骨つぼの側面に平面部を設け、当該平面部同士を貼着して一体化したものであり、その後に焼成してなる請求項１の夫婦骨つぼ。
【請求項５】
係止構造が、骨つぼの下部を遊嵌し得る２個の穴を穿った基台または皿状体であり、当該基台または皿状体の穴に骨つぼを遊嵌して２個の骨つぼを一体化すべく構成してなる請求項１の夫婦骨つぼ。
【考案の詳細な説明】
【技術分野】
【０００１】  本考案は、故人の遺骨を納骨する骨つぼに関するものであり、詳しくは家代々の墓における夫婦の遺骨の納骨形態に関するものである。
【背景技術】
【０００２】  骨つぼは遺骨を納骨するつぼであるが、従来より故人個々の遺骨を納骨するように作られていた。【０００３】  一方、神前とか仏前において永久の愛を誓った夫婦には、従来より夫婦茶碗が使われており、結婚した日より夫婦は夫婦茶碗で食事をする風習が残っていることは周知である。【０００４】  このように永久の愛を神前とか仏前において誓った夫婦が、亡くなった後は個々の骨つぼに遺骨を納骨されており、夫婦茶碗を用い食事をするような夫婦が別の骨つぼで同じ納骨室内とはいえ話されてしまうということに矛盾を感じている人は多い。【０００５】  夫婦であるから同じ骨つぼ内に一緒に納骨することも考えられるが、墓の下部に設けられている納骨室は大きさにも限定があり、また最近では家代々の墓ということで家族の遺骨を同じ墓に納骨する構造が多いことから、夫婦同時に納骨できるような大きな骨つぼは収納し離いという問題もあった。
【考案の開示】
【考案が解決しようとする課題】
【０００６】  解決しようとする問題点は、家代々の墓において、夫婦の骨つぼが離ればなれにならないようにすることが課題である。
【課題を解決するための手段】
【０００７】  本考案は、２個の骨つぼ、即ち夫婦の骨つぼを適宜の係止構造を用いて一体化すること、これらが課題を解決するための手段である。
【考案の効果】
【０００８】  従来は家の代々墓の納骨室では夫婦といえども骨つぼは別々に成っていたが、本考案では２個の骨つぼ１、１を適宜の係止構造を用いて着脱自在に一体化したことを特徴とする夫婦骨つぼであり、詳しくは、係止構造が、一方の骨つぼ１の側面に略凹部からなる係止雌部３を設け、他方の骨つぼ１の側面には略凸部からなる係止雄部４を設け、当該係止雌部３と係止雄部４を係合せしめて２個の骨つぼ１、１を一体化すべく構成してなる夫婦骨つぼであり、更には、係止構造が、双方の骨つぼ１、１の側面にそれぞれ対応して嵌合する係止部６、６を設け、当該係止部６、６にピン７を挿入して係合すべく構成してなる夫婦骨つぼであり、更には、係止構造が、２個の骨つぼ１、１の側面に平面部８を設け、当該平面部８、８同士を貼着して一体化したものであり、その後に焼成してなる夫婦骨つぼであり、更には、係止構造が、骨つぼ１の下部を遊嵌し得る２個の穴９、９を穿った基台１０であり、当該基台１０の穴９、９に骨つぼ１を遊嵌して２個の骨つぼ１、１を一体化すべく構成した夫婦骨つぼであるから、従来は家代々の墓においては、永久の愛を誓った夫婦といえども、墓の納骨室内では別々になり、また夫婦同時に納骨できるような大きな骨つぼは墓の納骨室には入り難く、夫婦感情としては耐え難いものであったが、本考案においては通常の大きさの骨つぼを夫婦の骨つぼとして一体化しているので、永久の愛を誓った夫婦はなくなった後も一緒にいられるという極めて実用的な効果を有するものである。
【考案を実施するための最良の形態】
【０００９】  本考案は、２個の骨つぼを適宜の係止構造を用いて着脱自在に一体化したことを特徴とする夫婦骨つぼであり、詳しくは、係止構造が、一方の骨つぼ側面に略凹部からなる係止雌部を設け、他方の骨つぼ側面には略凸部からなる係止雄部を設け、当該係止雌部と係止雄部を係合せしめて２個の骨つぼを一体化すべく構成してなる請求項１の夫婦骨つぼであり、更には、係止構造が、双方の骨つぼ側面にそれぞれ対応して嵌合する係止部を設け、当該係止部にピンを挿入して係合すべく構成してなる請求項１の夫婦骨つぼであり、更には、係止構造が、２個の骨つぼの側面に平面部を設け、当該平面部同士を貼着して一体化したものであり、その後に焼成してなる請求項１の夫婦骨つぼであり、更には、係止構造が、骨つぼの下部を遊嵌し得る２個の穴を穿った基台であり、当該基台の穴に骨つぼを遊嵌して２個の骨つぼを一体化すべく構成した請求項１の夫婦骨つぼを呈せんとするものである。
【実施例１】
【００１０】  一方の骨つぼ１の側面２に、上から見て、逆Ｌ字状を相対して設けた形状、即ち略Ｃ形状の係止雌部３を設け、他方の骨つぼ１の側面２には、上から見て略Ｔ字状の係止雄部４を設け、当該係止雌部３に係止雄部４を嵌合して２個の骨つぼ１、１を一体化している。骨つぼ１については、単なる骨つぼでなく、側面２に仏像、梵字、般若心経等を表現したもの、更には下方に蓮華を表現したもの、更には側面に位牌を表現したものであってもよい。
【実施例２】
【００１１】  ２個の骨つぼ１、１の側面２、２に、上下方向に穴５を穿った複数の係止部６を設ける。２個の骨つぼ１、１に設けた複数の係止部６，６はそれぞれ相対して嵌合するように、即ち蝶着構造としている。当該係止部６の穴５にピン７を挿入して２個の骨つぼ１、１を一体化すべく構成している。骨つぼ１については、側面２に仏像、梵字、般若心経等を表現したもの、更には下方に蓮華を表現したもの、更には側面に位牌を表現したものであってもよい。
【実施例３】
【００１２】  ２個の骨つぼ１、１の側面２、２に平面部８を設け、当該平面部８、８同士を貼着して一体化した後に焼成している。
【実施例４】
【００１３】  骨つぼ１の下部を遊嵌し得る２個の穴９、９を穿った基台１０であり、当該基台１０の穴９、９に骨つぼ１、１を遊嵌して２個の骨つぼを一体化すべく構成している。本実施例においては当該基台１０を単なる基台としているが、基台の形状に限定を受けるものではなく蓮華台としてもよい。
【産業上の利用可能性】
【００１４】  本考案は、２個の骨つぼ１、１を適宜の係止構造を用いて着脱自在に一体化したことを特徴とする夫婦骨つぼであり、詳しくは、係止構造が、一方の骨つぼ１の側面に略凹部からなる係止雌部３を設け、他方の骨つぼ１の側面には略凸部からなる係止雄部４を設け、当該係止雌部３と係止雄部４を係合せしめて２個の骨つぼ１、１を一体化すべく構成してなる夫婦骨つぼであり、更には、係止構造が、双方の骨つぼ１、１の側面にそれぞれ対応して嵌合する係止部６、６を設け、当該係止部６、６にピン７を挿入して係合すべく構成してなる夫婦骨つぼであり、更には、係止構造が、２個の骨つぼ１、１の側面に平面部８を設け、当該平面部８、８同士を貼着して一体化したものであり、その後に焼成してなる夫婦骨つぼであるから、従来は家代々の墓においては、永久の愛を誓った夫婦といえども、墓の納骨室内では別々になり、また夫婦同時に納骨できるような大きな骨つぼは墓の納骨室には入り難く、夫婦感情としては耐え難いものであったが、本考案においては通常の大きさの骨つぼを夫婦の骨つぼとして一体化しているので、永久の愛を誓った夫婦はなくなった後も一緒にいられるという誠に実用的な効果を有し、産業上での利用可能性は極めて大きいものがある。
【図面の簡単な説明】
【００１５】
【図１】  １の実施例の骨つぼの側面図
【図２】  １の実施例の骨つぼの平面図
【図３】  ２の実施例の骨つぼの側面図
【図４】  ２の実施例の骨つぼの平面図
【図５】  ３の実施例の骨つぼの側面図
【図６】  ３の実施例の骨つぼの平面図
【図７】  ４の実施例の一部断面した側面図
【図８】  ４の実施例の基台の平面図
【符号の説明】
【００１６】１  骨つぼ
２  骨つぼ側面
３  係合雌部
４  係合雄部
５  係止部の穴
６  係止部
７  ピン
８  平面部
９  基台の穴
１０  基台
【図１】
0003141068.tif 000003
【図２】
0003141068.tif 000004
【図３】
0003141068.tif 000005
【図４】
0003141068.tif 000006
【図５】
0003141068.tif 000007
【図６】
0003141068.tif 000008
【図７】
0003141068.tif 000009
【図８】
0003141068.tif 000010
【手続補正書】
【提出日】平成20年1月25日(2008.1.25)
【手続補正１】
【補正対象書類名】実用新案登録請求の範囲
【補正対象項目名】全文
【補正方法】変更
【補正の内容】
【実用新案登録請求の範囲】
【請求項１】
２個の骨つぼを適宜の係止構造を用いて着脱自在に一体化したことを特徴とする夫婦骨つぼ。
【請求項２】
係止構造が、一方の骨つぼ側面に略凹部からなる係止雌部を設け、他方の骨つぼ側面には略凸部からなる係止雄部を設け、当該係止雌部と係止雄部を係合せしめて２個の骨つぼを一体化すべく構成してなる請求項１の夫婦骨つぼ。
【請求項３】
係止構造が、双方の骨つぼ側面にそれぞれ対応して嵌合する係止部を設け、当該係止部にピンを挿入して係合すべく構成してなる請求項１の夫婦骨つぼ。
【請求項４】
係止構造が、２個の骨つぼの側面に平面部を設け、当該平面部同士を貼着して一体化したものであり、その後に焼成してなる請求項１の夫婦骨つぼ。
【請求項５】
係止構造が、骨つぼの下部を遊嵌し得る２個の穴を穿った基台または皿状体であり、当該基台または皿状体の穴に骨つぼを遊嵌して２個の骨つぼを一体化すべく構成してなる請求項１の夫婦骨つぼ。